(57)【要約】【課題】  １枚の正方形布を基本とする布体でありながら、使用時には布体という平面構造体の域を超え、包んだ荷物の収まりも良く、持ちやすいバッグのような外観に変身し得、さらに、用布面積を効率よく活かし、それによる収納量の増大を図ることの可能な折りたたみ式袋物を目的とする。【解決手段】  この折りたたみ式袋物は、互いに平行で長さの等しい２対の長辺と、前記長辺に囲まれ、互いに平行で長さの等しい２対の短辺とを有する８角形の布状体１と、前記１対の短辺を除く前記布状体の周縁に沿って配置された１対の紐部２とで構成されており、前記各紐部は、前記８角形の長辺に設けられた４本の紐通し用管状部と、前記短辺を介し近接する２つの紐通し用管状部３に連続して貫通せしめられ、前記長辺の端縁に沿って導出された紐４とで構成され、平面構造体の域を超え、意匠性の高いバックとなる。【選択図】図２
2010148834.tif 000002
【特許請求の範囲】
【請求項１】
互いに平行で長さの等しい２対の長辺と、前記長辺に囲まれ、互いに平行で長さの等しい２対の短辺とを有する８角形の布状体と、
前記２対の短辺のうちの１対の短辺を残して前記布状体の周縁に沿って配置された１対の紐部とで構成されており、
前記紐部は、
前記８角形の長辺に設けられた４本の紐通し用管状部と、
前記短辺を介し近接する２つの紐通し用管状部に連続して貫通せしめられ、前記長辺の端縁に沿って導出された紐とで、構成されている折りたたみ式袋物。
【請求項２】
請求項１に記載の折りたたみ式袋物であって、
前記布状体は、正方形布の４隅を折り込むことにより形成された隅切り部である短辺と、前記正方形の辺である長辺とを有する８角形の布状体であり、
前記紐の導出部で囲まれた１対の短辺は、それぞれ当該短辺の中心で外表に折畳まれ、外方への張り出し部を形成し得るように構成された折りたたみ式袋物。
【請求項３】
請求項１または２に記載の折りたたみ式袋物であって、
前記布状体は、前記長辺と短辺の比が３：√２となるように形成された８角形である折りたたみ式袋物。
【請求項４】
請求項１乃至３のいずれかに記載の折りたたみ式袋物であって、
前記紐通し用管状部の開口が、前記長辺に対し４５度の傾斜角を持つように形成された折りたたみ式袋物。
【請求項５】
請求項１乃至３のいずれかに記載の折りたたみ式袋物であって、
前記紐通し用管状部の開口が前記短辺に沿って設けられた折りたたみ式袋物。
【発明の詳細な説明】
【技術分野】
【０００１】  本発明は、折りたたみ式袋物に係り、特に風呂敷などの正方形布を用いた袋物の改良に関するものである。
【背景技術】
【０００２】  伝統的な風呂敷は、古くから日本文化の中で広く用いられてきており、１枚の布が果たす役割としては非常に大きいものがあった。そして、結んだり解いたり、持ち歩きの際に包みが崩れないように、また持ちやすいように、との配慮から、留め具や紐を用いてきた。【０００３】  このような留め具や紐の使用においても、さまざまな改良がなされてきた。たとえば特許文献１では、方形状の本体の相対する２辺の中央に、部分的に紐を配し其々に結び留め、もう１対の相対する２辺には、巾一杯に貫通させており、この紐を引き出すと袋状になり、その２本の紐の端を其々に結び、持ち手として使用する。【０００４】  また、特許文献２においてはループ状の紐を用い、４辺の紐通し用管状部に貫通させており、その紐を引き出して袋状にする。すなわちこの例では、図２８に示すように、布体（１０１）の周囲各辺に沿って、４隅付近を開口状にした紐通路（１０２）を設け紐（１０３）が各通路にループ状に挿通されている。【０００５】
【特許文献１】実開昭５２−１４７４号公報
【特許文献２】特開平１１−１５２１４８号公報
【発明の開示】
【発明が解決しようとする課題】
【０００６】  上記の特許文献１においては、袋の状態にしたときの布目がバイアス状ではない為、きれいなギャザーが出ず、意匠性が十分でないだけでなく、軽い物の場合はよいが、重い物を入れる場合、荷物の収まりは良くない。さらに隅部の用布面積も活かされない。
上記特許文献２においては、４辺に配された紐を引いて袋状にするが、図２８にも示されているように、開口を絞り込んで袋状にするものである。この構造では、外観上も風呂敷の延長に過ぎず、バッグをイメージするには程遠い形状である。またその紐は、ループ状であるために、収納する際に隅部の用布を充分に活用することが出来ず収納量が少ない。口を閉じて使用する場合は尚のこと少なくなる。引き出された紐はいずれもループ状であり、それを結び留めるのは煩雑であり、解く場合は尚いっそう煩雑である。【０００７】  本発明は、前記実情に鑑みてなされたもので、１枚の正方形布を基本とする布体でありながら、意匠性の高い折りたたみ式袋物を提供することを目的とする。
【課題を解決する為の手段】
【０００８】  そこで本発明の折りたたみ式袋物は、上記の課題を解決すべく、互いに平行で長さの等しい２対の長辺と、前記長辺に囲まれ、互いに平行で長さの等しい２対の短辺とを有する８角形の布状体と、前記１対の短辺を除く前記布状体の周縁に沿って配置された１対の紐部とで構成されており、前記紐部は、前記８角形の長辺に設けられた４本の紐通し用管状部と、前記短辺を介し近接する２つの紐通し用管状部に連続して貫通せしめられ、前記長辺の端縁に沿って導出された紐とで構成されている。
この構成によれば、１枚の正方形布を基本とする布体でありながら、使用時には布体という平面構造体の域を超え、包んだ荷物の収まりも良く、意匠性に優れ、持ちやすいバッグに変身し得るものとなる。さらに、用布面積を効率よく活かし、それによる収納量の増大を図ることができる。
【０００９】  また、本発明は、上記折りたたみ式袋物において、前記布状体が、正方形布の４隅を折り込みにより形成された隅切りである短辺と、前記正方形の辺である長辺とを有する８角形の布状体であり、使用時に、前記紐の導出部で囲まれた１対の短辺は、それぞれ当該短辺の中心で外表に折畳まれ、外方への張り出し部を構成する。
この構成によれば、紐の導出部で囲まれた１対の短辺が、絞込まれてしまうのではなく、短辺の中心で外表に折畳まれ、外方への張り出し部を構成することで、バッグのまちのような外観となり、美しい外観を具有するものとなる。そしてその収納力を充分に活かした場合は布状体が荷物に密着し、ピンと張りを呈することで、荷物の重量を布状体全体に分散させ、持ちやすくもなる。また収納として余裕がある場合は美しいギャザーや重なりを呈する。
【００１０】  ここでは、正方形布の４隅を折り込みにより形成された隅切り部分である短辺を有する８角形の布状体であり、前記布状体の相対向する１対の短辺に対して対称に設けた１対の紐部で構成されており、前記紐部は前記８角形の長辺に設けられた４本の紐通し用管状部と、前記短辺を介し近接する２つの長辺に設けられた紐通し用管状部に連続して貫通させた紐とで構成されており、それに対向する側にも紐を貫通させている。
この構成によれば、折り込みにより２重になった部分が短辺の補強と張り出し部の張りに有効に作用し、意匠性に優れ、かつ強度の高いものとなる。また上記用布は方形で布端の布目が直進していることで、強度が高く、バイアスとなっている部分は２重構造をなしているため、より強度が高いものとなっている。
さらに短辺、長辺の縫製にあたり、切り込み、切除をしないため、形状維持と耐久性に優れたものとなっている。
【００１１】  また、本発明は、上記折りたたみ式袋物において、前記長辺と短辺の長さは３：√２となるように形成された８角形である。
この構成によれば、正方形の１辺を１：３：１に分割し、４隅の隅部を内部に折り込むことで、短辺の布目も正バイアスで構成され、伸縮性を充分に活かすことが出来、形状に沿った美しいギャザーができ、意匠性の高い折りたたみ式袋物を提供することができる。
【００１２】  また、本発明は、上記折りたたみ式袋物において、前記紐通し用管状部の開口の折り込みが前記長辺に対し４５度の傾斜角になるよう形成されている。
この構成によれば、形成された開口縁の傾斜角により、収納の際、紐を引っ張ることで、短辺が重なり合い、口を閉じる状態となる。したがって、収納物を包み込むことが出来るようになり、袋物の機能をより高めている。
【００１３】  また、本発明は、上記折りたたみ式袋物において、前記紐通し用管状部の開口が短辺に沿って設けられているものを含む。荷物を包んで持ち上げると、紐がおのずと締まり安定するが、開口にかかる負担は免れ得ない。しかしこの構成によれば、開口の部分のバイアスの布目が作用し、かかる負担を軽減することができる。
【発明の効果】
【００１４】  以上説明したように、本発明の折りたたみ式袋物によれば、１枚の正方形布を基本とする布体でありながら、使用時には布体という平面構造体の域を超え、包んだ荷物の収まりも良く、持ちやすいバッグのような外観に変身し得、極めて意匠性の高い袋物となる。さらに、用布面積を効率よく活かし、それによる収納量の増大を図ることができる。
【発明を実施するための最良の形態】
【００１５】  以下、本発明の実施の形態について、図面を参照しつつ詳細に説明する。
（実施の形態１）
図１は本発明の実施の形態１の折りたたみ式袋物に荷物を収納した布状体に布目を模した斜視図であり、用布の端を折り重ねることにより形成された額縁状の縁取りを有する形態である。図２はこの折りたたみ式袋物の展開状態を示す図である。
この折りたたみ式袋物は、図２に示すように、互いに平行で長さの等しい２対の長辺Ｂ（Ｂ１とＢ３、Ｂ２とＢ４）と、前記長辺Ｂに囲まれ、互いに平行で長さの等しい２対の短辺Ａ（Ａ１とＡ３、Ａ２とＡ４）とを有する８角形の布状体１と、前記布状体の周縁に沿って配置された１対の紐部２とで構成されており、前記各紐部は、前記８角形の長辺Ｂに設けられた４本の紐通し用管状部３と、前記短辺Ａを介し近接する２つの紐通し用管状部３に連続して貫通せしめられ、前記長辺Ｂの端縁に沿って導出された紐４とで構成されている。【００１６】  そして、この布状体１の長辺Ｂ１、Ｂ２、Ｂ３、Ｂ４には４本の紐通し用管状部３が形成され、其々短辺Ａ１、Ａ２、Ａ３、Ａ４との境界である紐通し用管状部３の両端には、開口Ｈ１、Ｈ２、Ｈ３、Ｈ４、Ｈ５、Ｈ６、Ｈ７、Ｈ８が形成されている。この８角形の布状体に、２本の紐が貫通しており、その紐４の一方は開口Ｈ１から挿入されＡ２の短辺を経て開口Ｈ４から導出され、紐４の他方は開口Ｈ８から挿入されＡ４の短辺を経て開口Ｈ５から導出されている。各紐４の両端には抜け落ち防止部分６を形成している。【００１７】  紐４の先端部分は装飾を兼ねて、図３に示すように紐と相性の良い、共布で細工を施し、抜け落ち防止部分６を形成する。【００１８】  なお、紐の長さについては、布状体の出来上がり巾の長さが短い場合は、袋物自体が小さいため紐の長さも短くなる。そのため使用する場合に紐の長さが充分でないので、結びしろと持ち手に要する長さを見込んだ上で決めると良い。【００１９】  次に、本発明の実施の形態で用いる布状体の、長辺と短辺の長さの割合について、図４を参照しつつ説明する。
本実施の形態では、正方形の布状体の巾Ｄを１：３：１に分割し、この１／５Ｄ分だけ、４隅の隅部を正バイアスにて折り込みをすることにより、長辺Ｂと短辺Ａとが交互に形成された８角形の布状体が形成される。図４に示すように、長辺Ｂの長さが３であるとき、折り込まれた短辺の長さは√２となる。【００２０】  上述したように、図４において、５Ｓは元の正方形の布状体の巾Ｄの１／５を一辺とする正方形、５Ｌは短辺を一辺とする正方形である。５Ｓと５Ｌに挟まれた３角形は直角２等辺３角形５Ｔとなる。正方形布を８角形の布状体とするために、４隅の１点鎖線で表した直角２等辺３角形の部分を折り込み、短辺としているが、長辺と短辺の比を３：√２とする場合、この折り込む部分の直角２等辺３角形と他の直角２等辺３角形５Ｔは合同となる。ここで長辺Ｂは正方形５Ｓとその両隣の直角２等辺３角形５Ｔの短い辺２つに相当し、ここに紐通し用管状部３が形成される。【００２１】  図５は本発明の実施の形態１の折りたたみ式袋物の布状体の使用例１の原理を説明する図である。図４の短辺Ａ１とＡ３が袋物の口となり、短辺Ａ２とＡ４がまちの部分を形成するように折りたたみ、図５に従って作成し、荷物を収納した状況を表したものが図１に示す本発明の折りたたみ式袋物となる。【００２２】  図４に示すように、長辺と短辺の比を３：√２とする場合、底部となる８角形の領域Ｒの周囲に、正方形５Ｓと５Ｌ、直角２等辺３角形５Ｔが上下、左右が対称となるように配置される。このとき底部となる８角形はこの折りたたみ式袋物の８角形に対して同心状に配置され、相似比３：√２をもつ相似形となっている。この状態で、図５に示すように、立体形に折りたたまれ、紐通し用管状部３が形成された各長辺Ｂの部分がギャザーで縮められるが、この図より、基本的な構造部を構成する正方形５Ｓと５Ｌに対し、その間に直角２等辺３角形が対称的に配されており、この直角２等辺３角形部分の存在により、均一にギャザー部を作ることができることが分かる。この図形的特徴が本発明の実用性及び安定した意匠性を提供している。【００２３】  図４は上記に述べたように、長辺と短辺の比が望ましい場合の３：√２で構成された寸法関係をも示した図である。図５は図４を基に使用例１の形態となる折りたたみ方の原理を説明した図である。図６は、図４と図５に従い作成された使用例１の布状体を袋物の形状にしたものに布目を模した説明図である。【００２４】  図６に示すように、挿入した紐４を引くと、紐通し用管状部３にギャザーが寄せられ、袋物の口となる短辺Ａ１とＡ３、まちの部分の短辺Ａ２とＡ４がギャザー部を介してほぼ直線となり、袋物の底部となる外周は布目のバイアスが活かされ半円形に近い形状となる。このことが袋物としての機能を高め、形状も美しくする。【００２５】  実際に荷物を収納する際には、紐４を引き出して、絞り込まれた紐通し用管状部３はＵ字状に湾曲する。それにより寄せられたギャザーが広げられ、底部にかけて、均等に放射状に自然に平らになる。図６から分かるように、上記ギャザーの作用により、程よくふくらみ、袋物の形状を美しくしている。また、収納された荷物の重量がかかることで、袋物の口となる短辺Ａ１、Ａ３は重なり合い、口を閉じる状態となる。一方、折り畳まれて外方へ張り出している短辺Ａ２、Ａ４は、上方に持ち上がり、袋物としてのデザイン性を高めている。バイアスの布目である底部の中心線Ｌｃは伸ばされて、袋物の口に見合う外周を形成する長さを有しており、中心線Ｌｃを含む断面が半円形の形状となる。【００２６】  上記のように紐を絞りこむことで袋物全体がバイアス状の布目となる。バイアスの布目である布状体が、荷物の形状に沿うことから、収まりも良く、使い勝手の良さに繋がり、形状の美観を高めている。【００２７】  このようにして、長辺と短辺の比が３：√２の８角形の布状体で構成することで、平面構造体の域を超え、包んだ荷物の収まりも良く、意匠性に優れた袋物となる。【００２８】  上記で長辺と短辺の長さが望ましい比である３：√２の場合について説明したが、比較検討するために、短辺が望ましい場合より短い例に布目を模した図７（ａ）と、短辺が望ましい場合より長い例に布目を模した図７（ｂ）を示す。
まず、短辺の長さが望ましい比より小さい場合について述べる。たとえば、長辺と短辺の比を４：√２とするとき（正方形布の１辺を１：４：１に分割するとき）、短辺が短くなるので、長辺が長くなる。この場合、長辺を短辺で割った値は約２．８となる（望ましい場合の長辺を短辺で割った値は約２．１）。この場合、使用時に紐を引くと、長くなった長辺の紐通し用管状部が縮められる。その結果、図７（ａ）に示すように長辺が長くなった分ギャザー分が多くなり、それら４辺の長辺の膨らみが袋物全体を膨らませている。このふくらみが、荷物の形状に沿うことを妨げており、荷物の収まりが悪く、意匠性に欠けるものである。【００２９】  次に、短辺の長さが望ましい比より長い場合について説明する。このときは短辺が長く、長辺が短くなるので、長辺を短辺で割った値が約１．５となる場合を図７（ｂ）に示した。図のように、長くなった短辺では、袋の口となる短辺が閉じないので袋物としての機能は備わりにくい。図から分かるように、折りたたまれて外方へ張り出されるはずの短辺Ａ２、Ａ４は、紐通し用管状部３の開口Ｈ２から底部の中心線Ｌｃにかけての直線の布目に沿って大きなしわが出来て垂れ下がる。その大きなしわは、収納する荷物の重量が多くなるにつれて際だち、短辺は直線の布目にそって折れ曲がるため、形状も美しくない。このように、長くなった短辺では、荷物を収納した場合も、袋の口が閉じることなく、荷物の収まりも悪く、袋物としての機能はもとより、形状が美しくない。【００３０】  なお、本発明の折りたたみ式袋物の布状体、つまり隅部を折りたたむ前の布状体は風呂敷などの正方形であることを原則とし、正バイアスを活かした袋物である。ただし若干の縦横の寸法差は、融通及び調節されることから、用布の縦と横の長さの差は４％程度であれば誤差の範囲であり、袋物の機能への影響は少ない。【００３１】  以下、本発明の実施の形態１の折りたたみ式袋物の製造方法について説明する。ここでは、用布２枚を用いた場合について説明する。
まず、図８に示すように正方形の下面用布１ａと上面用布１ｂを重ねた状態で、下面用布の隅を折り重ねる。ついで、図９に示すように、さらに隅を折り込んで、縫い目８を施すと４辺の短辺部分Ａ（Ａ１、Ａ２、Ａ３、Ａ４）が形成される。ついで図１０に示すように、下面用布１ａの４つの長辺Ｂ（Ｂ１、Ｂ２、Ｂ３、Ｂ４）の端縁を折り込んで、縫い目８を施すと、４辺の紐通し用管状部３が形成される。上記４辺の紐通し用管状部３の折り込みにより８個の開口が形成される。その開口Ｈ１乃至Ｈ８は紐通し用管状部３の端縁に対し４５度の傾斜角を有している。【００３２】  このようにして紐通し用管状部３を形成した後、２本の紐を貫通させて、紐を結ぶと、実施の形態１の折りたたみ式袋物となる。【００３３】  なお、この例では、用布２枚の場合について説明したが、３枚以上重ねて用いても良く、また、用布１枚にて、仕立てることも可能である。下面用布１ａを用いる場合は、図１０の下面を袋物の表面として使用する。複数枚の用布を用いる場合は、より風合いもよく強度的に優れ、張りもあり意匠性にも優れた袋物を提供することが出来る。
用布の性質により必要であるならば、縫いを施す部分に、接着芯を貼り付けて布目を補強しても良い。布の片面に特殊な糊が塗布された接着芯を、表地の裏面に当て、アイロンの熱で押さえるだけで、効率よく芯地を貼着することができる。【００３４】  次に、本発明の実施の形態１の折りたたみ式袋物、組立工程（使用例１）について説明する。
図１１（ａ）乃至（ｃ）は使用例１の使用時の組立工程、紐の操作を説明する図である。細長い形状のものを収納する場合には、図１１（ａ）に示したように、布状体を広げ、短辺Ａ１、短辺Ａ３に平行になるように中央に荷物を載せ、図１１（ａ）、図１１（ｂ）に示すように、短辺Ａ１と短辺Ａ３を上面で突き合わせて、両側の開口Ｈ１、Ｈ４とＨ５、Ｈ８から引き出した紐４を、２本ずつ向き合う形で、束ねるように重ねる。図１１（ｃ）に示すように、重なっている紐の１本を用いて、開口に近い部分で結びとめ、もう一方も同様に結びとめる。【００３５】  上記のように、荷物を収納すると、紐通し用管状部３は絞り込まれた状態となる。この袋物を持ち上げることで、布状体の中心Ｃから紐通し用管状部３にかけての布目が、重量負担を集約するように、紐通し用使用管状部３に伝えている。重量により紐と布状体が一体となり、重量負担を担うこととなる。このとき、収納する荷物の重量が増えるにつれ、外方に張り出した短辺Ａ２、Ａ４が上方に持ち上がる。【００３６】  図１２は図１１（ｃ）の要部拡大図である。図に示すように紐通し用管状部３は絞り込まれており、きれいにおさまっている。開口Ｈ１とＨ４が重なり合い、それにより、袋の口である短辺Ａ１とＡ３も重なり合うこととなる。外方へ張り出された短辺の開口Ｈ２、Ｈ３は露出している紐のわの部分が、４５度で斜めになっている開口を紐通し用管状部内に引き込むような状態となり、短辺の張り出しを支えており、さらに形状も美しく、袋物としての機能をより高めている。【００３７】  図１１（ｃ）のように紐結びをすることで、紐が４本重なり、重厚な感じの持ち手となり、使い勝手も向上し、袋物としての機能も高い。紐を引いて紐通し用管状部を絞り込むことで短辺が引き上げられて、用布面積の効率化が計られ、形状の美しさを呈しかつ持ち易くなる。【００３８】  このように、本発明の折りたたみ式袋物によれば、図６に示したように、紐の導出部で囲まれた１対の短辺Ａ２、Ａ４が、絞込まれてしまうのではなく、短辺の中心で外表に折畳まれ、外方への張り出し部を構成することで、バッグのまちのような外観となり、美しい外観を具有するものとなる。そしてその収納力を充分に活かすべく、大きな荷物を収納した場合は、布状体が荷物に密着しピンと張りを呈することで、荷物の重量を布状体全体に分散させ、持ちやすくもなる。また収納として余裕がある場合は、バイアス布としての美しいギャザーや重なりを呈する。【００３９】  また、この例では紐通し用管状部の開口が、前記長辺に対し４５度の傾斜角をなすように形成されていることで、収納の際紐を引っ張ると、図１２に示したように、短辺が重なり合い、口を閉じる状態になる。それにより、収納物を包み込むことができるようになり、袋物としての機能をより高める結果となる。【００４０】  次に、本発明の実施の形態１の折りたたみ式袋物の使用例２について説明する。
この使用例２の使用状態を図１３、１４に示す。図１３は、図４の原理説明の図をもとに、本発明の実施の形態１の折りたたみ式袋物の使用例２の布状体に正方形５Ｌ、５Ｓ、直角２等辺３角形５Ｔの位置関係を示した図である。図１４はその使用例２の布状体に布目を模した図である。この使用例２の場合は、周縁部すべてが上面に集められており、立方体や球体も、安定して美しく包める使用方法である。【００４１】  以上説明してきたように、本発明の折りたたみ式袋物によれば、バイアスの布目で使用する布状体は、縫い代分を含め一続きである１枚の用布にて形成しており、バイアスの伸縮性を充分に活かすことが出来る。短辺となる、隅部を切除せず折り込むことで形状維持と耐久性を奏効する。折りたたみ式袋物の用布面積を効率よく活かして収納力を高めており、形状に沿って包み込むことができる。【００４２】  また、その収納力を充分に活かした場合は布状体が荷物に密着し、ピンと張りを呈する。上記布状体の構成は、直線の布目とバイアスの布目を活かした設計となっており、さらに２本の紐を用いることで、布状体全体に重量を分散させる仕組みとなっている。それらにより収納したときの形状も良く安定感がある。また収納として余裕がある場合は、美しいギャザーや重なりを呈する。【００４３】  上記構成の布状体に荷物を包んで持ち上げると、紐がおのずと締まり安定するが、荷物がかさ高なものである場合も、重いものである場合も、収納する際には、紐を結び留める必要がある。その際、開口の部分に負担がかかることになるが、開口の端縁は、バイアスの布目が２重となっていることで、重量負担を軽減させている。加えて、開口の傾斜角により、収納の際紐を引っ張ると、短辺が重なり合いを呈し、口を閉じる状態になり、袋物の機能をより高めている。【００４４】  すなわち、包む荷物に重量があるとき、バイアスの布目の布状体が荷物の形状に沿い袋物としての形状が出来上がるのであるが、軽くて、かさ高な荷物の場合には、紐を引っ張り、結びとめることで布状体を袋物の形状にする。このため、紐を引っ張ることと結ぶことで、開口に負担をかけることになるが、開口の布目がバイアスでしかも２重となっているので布目が伸びて、開口にかかる重量負担を軽減することとなる。用布本体は正方形布であり、用布に切り込みを入れず、切除もしていないため、伸びた部分は元に戻すことができるので、バイアスの伸縮性の効果を十分に活かすことができる。【００４５】  また紐の端には、装飾を兼ねた抜け落ち防止の細工を施している。引き出して結ぶ際に、用途や体格に応じて、持ち手になる紐の長さを随意に変えられる。紐が２本である布状体の構成から、荷物の形状により持ち方や包み方を変えることが出来る。上記により時に応じ軽快に袋物の体裁と機能を有することとなり、利便性を高めている。【００４６】  上述したように、実用性だけでなく、本発明の折りたたみ式袋物によれば、４隅を折り込んだだけの単なる平らな布体が２本の紐により変化をし、美しいバッグの形を呈するといった意外性に加え、多彩な用布を用いることが出来、用布の選択によってもさまざまな風合いの折りたたみ式袋物を提供することができる。【００４７】（実施の形態２）
次に、本発明の折りたたみ式袋物、実施の形態２について、図面を参照しつつ説明する。図１５は、本発明の実施の形態２の折りたたみ式袋物の平面図である。前記実施の形態１と異なるのは、紐の導出部の構造である。前記実施の形態１では図２に示したように、紐通し用管状部の開口が、長辺に対して４５度の傾斜角をなすように形成されており、短辺上に設けられた開口縁から、紐が導出されていたのに対し、本実施の形態では、図１５に示すように、紐通し用管状部３の開口が、長辺と短辺の交点から、短辺の辺に沿って設けられている点であり、短辺上に設けられた開口縁から、長辺の端縁に沿って紐が導出されている。用布は２枚あるいは、複数枚を用いており、両面使用の形態である。他は実施の形態１と同様であり、ここでは説明を省略する。また符号については、図２と同一符号を付した。【００４８】  上記実施の形態２の折りたたみ式袋物は、両面使用の形態であることから、製造に際しては両面用布の縫い代の始末を、外周の端縁にて、内部に折り込み形成する。図１５に示すように、ミシン縫製で縫い目８を施すと、４辺の短辺Ａ１、Ａ２、Ａ３、Ａ４が形成され、長辺Ｂ１、Ｂ２、Ｂ３、Ｂ４の部分には、紐通し用管状部３が形成される。このようにして形成された８角形の布状体は、両面使用が可能となり、そこへ２本の紐を貫通させることで、図１６（ｃ）に示すように、折りたたみ式袋物となる。【００４９】  この場合も、荷物を収納して持ち上げると、紐が自ずと締まり安定するが、その際、開口の正バイアスの布目が伸びて、かかる負担を軽減している。この場合も上記の構成により袋物の形状も良く、より機能も高められる。【００５０】  以下、本発明の実施の形態２の使用例１について説明する。
図１６（ａ）乃至（ｃ）は、図１５に示した本発明の実施の形態２の折りたたみ式袋物の使用例１の、組み立て工程を説明する斜視図である。図１６（ｃ）は、使用例１の使用状態に、布目を模した全体図である。図１７は図１６（ｃ）の要部拡大図である。この場合は、両面使用の形態である開口の、端縁の縫い目に相当する部分を、縫い合わせることなく開口としている。そのため両面用布の間から、するりと紐を引き出すことができる。結びとめる場合も、その開口縁の布目が伸びて、結びとめた部分に沿うように囲む形状となる。図１７に示すように、短辺Ａ１、Ａ３が接した状態で、持ち上げられることにより、袋の口を閉じた状態になる。両面使用の形態にするために、両面の用布の縫い代は内部に折り込まれており、その折り重ねられた端縁に、表から縫いを施している。それにより、正バイアスの布目となる短辺は伸縮性がより活かされ、荷物の形状に沿いやすくなり、かさ高な荷物の場合にも、包み易く、袋物としての機能性を高めている。【００５１】  さらに開口を含め紐通し用管状部３の形成については、いずれかの用布１枚を用いて、その縫い代分を含めた、用布の端に至るまで、一続きで形成されている。それにより紐通し用管状部３の内側は、縫い代も縫い目もなく、紐通し用管状部内はすっきりとしており、使い勝手もよくなり、耐久性も著しく向上する。【００５２】  次に、本発明の折りたたみ式袋物の実施の形態２の使用例２について説明する。
図１８は使用例２の使用状態に原理説明の位置関係を表した正面図である。正方形５Ｌ、５Ｓ、直角２等辺３角形５Ｔの位置関係は図５と同様であるのでここでは説明を省略する（符号は図１５参照）。図１９、２０、２１は上面図、側面図、底面図である。本発明の布状体を広げて荷物を載せてから、紐の先端を結んで、その２つの結び目７を持ち上げるだけで、紐が引き出されて、図１８のようにショルダーバッグ様の体裁となる。この使用例の場合は、非常に簡単に荷物を収納でき便利である。また、用布面積を効率よく活かしており、形状を問わず、多くの物を収納できる。【００５３】  また、実施の形態２の使用例３について説明する。本発明の折りたたみ式袋物の使用例３の使用状態を図２２乃至２６に示す。菓子折りなどの天地無用の場合の収納に適する使用例を示す。菓子折りの箱や、かさ高な物を安定させて美しく収納できる。そのためには、図２６の紐の操作の説明図に示すように、２本の紐による操作で、周縁部を上面に引き上げると良い。このとき、紐通し用管状部３が中央から２つに折れて、開口Ｈ１、Ｈ２、Ｈ３、Ｈ４が相接する。開口Ｈ５、Ｈ６、Ｈ７、Ｈ８も同様に相接し、袋の口を閉じた状態となり、荷物の収まりも良く、安定して美しく収納できる。【００５４】  この場合の２本の紐にも、抜け落ち防止部分を施す。図２７に示すように変形例として、挿入した紐の先端を用いて玉結びなどの飾り結びを施しても良い。【００５５】  上記使用例１から３について説明したが、袋物としての形状が大きく異なるのは、仕立て方や、布状体の面積の大小からもたらされるものだけではなく、収納する荷物の形状の違いからくる紐の操作の違いも大きいことが分かる。
例えば、
（１）横に長い形状の物を収納する場合に、２本の紐を引き出して開口近くで結びとめた、ふくらみをもつバッグのようになる使用例。
（２）立方体や球体などに向く使用例。
（３）引き出した紐の端を結びショルダーバッグのようにする使用例。
（４）引き出した紐を、短辺に露出している紐にくぐらせてから、結びとめて菓子折りなどの箱や、かさ高な物に向く使用例。
このような使用例があり、さらに持ち手になる紐の長さも、体格や使用状況に応じて必要な長さに結ぶことが出来る。紐の結び方も、それぞれの好みで変えることができる。【００５６】  以上説明してきたように、本発明の折りたたみ式袋物は、簡単な紐の操作の違いで、想定を超えた形状の変化を見ることが出来る。これらのことから、使用の形態は記載する以外に、使う人のセンスと裁量により広がりを見る可能性を多く有するものである。【００５７】  またフラットな布を出発材料として、折り畳むだけで、きわめて軽量で意匠性に優れた折りたたみ式袋物を提供することが可能となる。
さらにまた、実施の形態２の両面使用の場合には、食事の際にもひざ掛けとして用いたり、あるいは、短辺のひとつの紐を長くして、首にかけ、もう一方の紐をウエストで縛ることで、ジャケットのインナーとしても使用でき、バッグの中に１枚入れておくだけで種々の用途に使用可能である。【００５８】  従来、表裏のある１枚の布の風呂敷にて包みを施し、使用するに当たり、必ず裏面が目に入り、解く場合も同様である。絹製の風呂敷など大変に美しく優雅であるが日常的に使用するには、高価でもあり、耐久性にも不安がある。これに対し、本発明の折りたたみ式袋物において、用布を複数枚用いて形成することで、耐久性ばかりでなく、繊細な風合いの用布も使用可能となる。
【産業上の利用可能性】
【００５９】  以上説明したように、本発明の折りたたみ式袋物によれば、きわめてシンプルな構成でありながら、外観性に優れた袋物であり、機械的強度も高く収納性に優れていることから、洋布のみならず、和布でも製造でき、和洋装いずれの場合にも適用可能であり、携帯用としても有効である。
【図面の簡単な説明】
【００６０】
【図１】本発明の実施の形態１の折りたたみ式袋物に荷物を収納した場合の斜視図
【図２】本発明の実施の形態１の折りたたみ式袋物の平面図
【図３】本発明の実施の形態１の折りたたみ式袋物に用いられる紐の先端部を示す図
【図４】本発明の実施の形態１の折りたたみ式袋物に用いられる布状体の寸法関係を示す説明図
【図５】本発明の実施の形態１の折りたたみ式袋物に用いられる布状体の使用例１の原理説明図（３：√２の比率の場合）
【図６】本発明の実施の形態１の折りたたみ式袋物の３：√２の比率である布状体（使用例１）を示す説明図
【図７】本発明の折りたたみ式袋物の３：√２の比率である布状体との比較例を示す図、（ａ）短辺が短い例を示す図、（ｂ）短辺が長い例を示す図
【図８】本発明の実施の形態１の折りたたみ式袋物の縫製工程を示す図
【図９】本発明の実施の形態１の折りたたみ式袋物の縫製工程を示す図
【図１０】本発明の実施の形態１の折りたたみ式袋物の縫製工程を示す図
【図１１】本発明の実施の形態１の折りたたみ式袋物の使用例１の使用状態を示す組立工程（紐操作）を示す説明図（ａ）布状体に荷物を載せた図、（ｂ）紐操作を示す図、（Ｃ）紐操作の最終段階を示す図
【図１２】図１１（ｃ）の要部拡大図
【図１３】本発明の実施の形態１の折りたたみ式袋物に用いられる布状体の使用例２の原理説明図（３：√２の比率の場合）
【図１４】本発明の実施の形態１の折りたたみ式袋物に用いられる布状体の使用例２の使用時の布状体を示す図（３：√２の比率の場合）
【図１５】本発明の実施の形態２の折りたたみ式袋物の平面図
【図１６】本発明の実施の形態２の折りたたみ式袋物の使用例１の使用状態を示す組立工程（紐操作）を示す説明図（ａ）布状体に荷物を載せた図、（ｂ）紐操作を示す図、（ｃ）紐操作の最終段階を示す図
【図１７】図１６（ｃ）の要部拡大図
【図１８】本発明の実施の形態２の折りたたみ式袋物の使用例２の場合の布状体の原理説明を示すための斜視図（３：√２の比率の場合）
【図１９】図１８の上面図
【図２０】図１８の側面図
【図２１】図１８の底面図
【図２２】本発明の実施の形態２の折りたたみ式袋物の使用例３の正面図
【図２３】図２２の上面図
【図２４】図２２の側面図
【図２５】図２２の底面図
【図２６】図２２の紐操作を示す説明図
【図２７】本発明の折りたたみ式袋物に用いられる紐の先端部の変形例を示す図
【図２８】従来例の包装袋を示す図
【符号の説明】
【００６１】  １    布状体
１ａ  下面用布
１ｂ  上面用布
２    紐部
３    紐通し用管状部
４    紐
５Ｓ  小さい正方形
５Ｌ  大きい正方形
５Ｔ  直角２等辺３角形
６    抜け落ち防止部分
７    持ち手になる紐の結び目
８    ミシン縫製の縫い目
Ａ１  短辺
Ａ２  短辺
Ａ３  短辺
Ａ４  短辺
Ｂ１  長辺
Ｂ２  長辺
Ｂ３  長辺
Ｂ４  長辺
Ｃ    布状体の中心
Ｄ    布状体出来上がり巾
Ｈ１  開口
Ｈ２  開口
Ｈ３  開口
Ｈ４  開口
Ｈ５  開口
Ｈ６  開口
Ｈ７  開口
Ｈ８  開口
ＬＣ  底部の中心線
Ｒ    底部となる８角形の領域
１０１  布体
１０２  紐通路
１０３  紐
１０４  通路口
【図１】
2010148834.tif 000003
【図２】
2010148834.tif 000004
【図３】
2010148834.tif 000005
【図４】
2010148834.tif 000006
【図５】
2010148834.tif 000007
【図６】
2010148834.tif 000008
【図７】
2010148834.tif 000009
【図８】
2010148834.tif 000010
【図９】
2010148834.tif 000011
【図１０】
2010148834.tif 000012
【図１１】
2010148834.tif 000013
【図１２】
2010148834.tif 000014
【図１３】
2010148834.tif 000015
【図１４】
2010148834.tif 000016
【図１５】
2010148834.tif 000017
【図１６】
2010148834.tif 000018
【図１７】
2010148834.tif 000019
【図１８】
2010148834.tif 000020
【図１９】
2010148834.tif 000021
【図２０】
2010148834.tif 000022
【図２１】
2010148834.tif 000023
【図２２】
2010148834.tif 000024
【図２３】
2010148834.tif 000025
【図２４】
2010148834.tif 000026
【図２５】
2010148834.tif 000027
【図２６】
2010148834.tif 000028
【図２７】
2010148834.tif 000029
【図２８】
2010148834.tif 000030
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
互いに平行で長さの等しい２対の長辺と、互いに平行で長さの等しい２対の短辺とを有する８角形の布状体と、
前記２対の短辺のうちの１対の短辺を残して前記布状体の周縁に沿って配置された１対の紐部とで構成されており、
前記長辺と短辺の比が３：√２であり、
前記紐部は、
前記８角形の長辺に設けられた４本の紐通し用管状部と、
前記短辺を介し近接する２つの紐通し用管状部に連続して貫通せしめられ、前記長辺の端縁に沿って導出された紐とで、構成されている折りたたみ式袋物。
【請求項２】
請求項１に記載の折りたたみ式袋物であって、
前記布状体は、正方形布の４隅を折り込むことにより形成された隅切り部である短辺と、前記正方形布の辺である長辺とを有する８角形の布状体であり、
両端に前記紐の導出部を有する１対の短辺は、それぞれ当該短辺の中心で外表に折畳まれ、外方への張り出し部を形成し得るように構成された折りたたみ式袋物。
【請求項３】
請求項１または２のいずれかに記載の折りたたみ式袋物であって、
前記紐通し用管状部の開口が、前記長辺に対し４５度の傾斜角を持つように形成された折りたたみ式袋物。
【請求項４】
請求項１乃至３のいずれかに記載の折りたたみ式袋物であって、
前記紐通し用管状部の開口が前記短辺に沿って設けられた折りたたみ式袋物。
【請求項５】
請求項１乃至４のいずれかに記載の折りたたみ式袋物であって、
前記底部の中心線を含む断面が半円形の形状をなすように構成された折りたたみ式袋物。
【手続補正２】
【補正対象書類名】明細書
【補正対象項目名】０００８
【補正方法】変更
【補正の内容】
【０００８】  そこで本発明の折りたたみ式袋物は、上記の課題を解決すべく、互いに平行で長さの等しい２対の長辺と、前記長辺に囲まれ、互いに平行で長さの等しい２対の短辺とを有する８角形の布状体と、前記１対の短辺を除く前記布状体の周縁に沿って配置された１対の紐部とで構成されており、前記長辺と短辺の比が３：√２であり、前記紐部は、前記８角形の長辺に設けられた４本の紐通し用管状部と、前記短辺を介し近接する２つの紐通し用管状部に連続して貫通せしめられ、前記長辺の端縁に沿って導出された紐とで構成されている。
この構成によれば、１枚の正方形布を基本とする布体でありながら、使用時には布体という平面構造体の域を超え、包んだ荷物の収まりも良く、意匠性に優れ、持ちやすいバッグに変身し得るものとなる。さらに、用布面積を効率よく活かし、それによる収納量の増大を図ることができる。
また、長辺と短辺の比を３：√２とする場合、底部となる８角形の領域の周囲に、正方形（５Ｓと５Ｌ）、直角２等辺３角形（５Ｔ）が上下、左右が対称となるように配置される。このとき底部となる８角形はこの折りたたみ式袋物の８角形に対して同心状に配置されている。この状態で、立体形に折りたたまれ、紐通し用管状部が形成された各長辺の部分がギャザーで縮められるが、基本的な構造部を構成する正方形とに対し、その間に直角２等辺３角形が対称的に配されており、この直角２等辺３角形部分の存在により、均一にギャザー部を作ることができ、この図形的特徴により実用性及び安定した意匠性を提供している。
【手続補正３】
【補正対象書類名】明細書
【補正対象項目名】００２２
【補正方法】変更
【補正の内容】
【００２２】  図４に示すように、長辺と短辺の比を３：√２とする場合、底部となる８角形の領域Ｒの周囲に、正方形５Ｓと５Ｌ、直角２等辺３角形５Ｔが上下、左右が対称となるように配置される。このとき底部となる８角形はこの折りたたみ式袋物の８角形に対して同心状に配置されている。この状態で、図５に示すように、立体形に折りたたまれ、紐通し用管状部３が形成された各長辺Ｂの部分がギャザーで縮められるが、この図より、基本的な構造部を構成する正方形５Ｓと５Ｌに対し、その間に直角２等辺３角形が対称的に配されており、この直角２等辺３角形部分の存在により、均一にギャザー部を作ることができることが分かる。この図形的特徴が本発明の実用性及び安定した意匠性を提供している。
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
互いに平行で長さの等しい２対の長辺と、互いに平行で長さの等しい２対の短辺とを有する８角形の布状体と、
前記２対の短辺のうちの１対の短辺を残して前記布状体の周縁に沿って配置された１対の紐部とで構成されており、
前記長辺と短辺の比が３：√２であり、
前記紐部は、
前記８角形の長辺に設けられた４本の紐通し用管状部と、
前記短辺を介し近接する２つの紐通し用管状部に連続して貫通せしめられた紐とで、構成されている折りたたみ式袋物。
【請求項２】
請求項１に記載の折りたたみ式袋物であって、
前記布状体は、正方形布の４隅を折り込むことにより形成された隅切り部である短辺と、前記正方形布の辺である長辺とを有する８角形の布状体であり、
両端に前記紐の導出部を有する１対の短辺は、それぞれ当該短辺の中心で外表に折畳まれ、外方への張り出し部を形成し得るように構成された折りたたみ式袋物。
【請求項３】
請求項１または２のいずれかに記載の折りたたみ式袋物であって、
前記紐通し用管状部の開口が、前記長辺に対し４５度の傾斜角を持つように形成された折りたたみ式袋物。
【請求項４】
請求項１乃至３のいずれかに記載の折りたたみ式袋物であって、
前記紐通し用管状部の開口が前記短辺に沿って設けられた折りたたみ式袋物。
【請求項５】
請求項１乃至４のいずれかに記載の折りたたみ式袋物であって、
紐を引き出して荷物を収納する際には、布状体の中心Ｃと紐部を構成する各短辺の中点とを結んだ線を含む断面が半円形の形状をなすように構成された折りたたみ式袋物。
【手続補正２】
【補正対象書類名】明細書
【補正対象項目名】０００８
【補正方法】変更
【補正の内容】
【０００８】  そこで本発明の折りたたみ式袋物は、上記の課題を解決すべく、互いに平行で長さの等しい２対の長辺と、前記長辺に囲まれ、互いに平行で長さの等しい２対の短辺とを有する８角形の布状体と、前記１対の短辺を除く前記布状体の周縁に沿って配置された１対の紐部とで構成されており、前記長辺と短辺の比が３：√２であり、前記紐部は、前記８角形の長辺に設けられた４本の紐通し用管状部と、前記短辺を介し近接する２つの紐通し用管状部に連続して貫通せしめられた紐とで構成されている。
この構成によれば、１枚の正方形布を基本とする布体でありながら、使用時には布体という平面構造体の域を超え、包んだ荷物の収まりも良く、意匠性に優れ、持ちやすいバッグに変身し得るものとなる。さらに、用布面積を効率よく活かし、それによる収納量の増大を図ることができる。
また、長辺と短辺の比を３：√２とする場合、底部となる８角形の領域の周囲に、正方形（５Ｓと５Ｌ）、直角２等辺３角形（５Ｔ）が上下、左右が対称となるように配置される。このとき底部となる８角形はこの折りたたみ式袋物の８角形に対して同心状に配置されている。この状態で、立体形に折りたたまれ、紐通し用管状部が形成された各長辺の部分がギャザーで縮められるが、基本的な構造部を構成する正方形とに対し、その間に直角２等辺３角形が対称的に配されており、この直角２等辺３角形部分の存在により、均一にギャザー部を作ることができ、この図形的特徴により実用性及び安定した意匠性を提供している。